(57)【要約】  弾力性を有し、かつ第１及び第２の端部（２ａ，２ｂ）を有する細長い本体（２）を備え、細長い本体（２）が動作モードにおいてリング形状を示すようになっている陰茎締め付け装置が記載されている。細長い本体（２）は、動作モードにおいて、両端部（２ａ，２ｂ）が相互に重なり合う位置に付勢される形状及び弾力性を備える。
2014527888.tif 000002
【特許請求の範囲】
【請求項１】
弾力性を有し、かつ第１及び第２の端部（２ａ，２ｂ）を有する細長い本体（２）を備え、
前記細長い本体（２）は動作モードにおいてリング形状を示すようになっている陰茎締め付け装置であって、
前記細長い本体（２）は、前記動作モードにおいて、両方の端部（２ａ，２ｂ）が相互に重なり合う位置に付勢される形状及び弾力性を備える、陰茎締め付け装置。
【請求項２】
前記細長い本体（２）は、前記動作モードにおいて、ねじれる、または少なくともコイルないし螺旋の一部を形成するように付勢される形状及び弾力性を備える、請求項１に記載の装置。
【請求項３】
前記細長い本体（２）は、前記両方の端部（２ａ，２ｂ）を前記相互に重なり合う位置に付勢するようになっている細長い弾性バネ部材を有する、請求項１または２に記載の装置。
【請求項４】
前記バネ部材は前記本体を少なくとも部分的にねじれた、あるいは、螺旋状ないしコイル状の形に付勢するようになっている、請求項３に記載の装置。
【請求項５】
ヘッド要素（４）、該ヘッド要素（４）に設けられた第１カップリング手段（１０）、及び前記細長い本体（２）の第１端部（２ａ）に設けられた第２カップリング手段（１２）をさらに備え、
前記第１及び第２のカップリング手段（１０，１２）は、前記ヘッド要素（４）を前記細長い本体（２）の第１端部（２ａ）に取り外し可能に装着するようになっている、少なくとも先行する請求項のいずれか１項に記載の装置。
【請求項６】
前記ヘッド要素（４）は外面に振動を伝達するようになっている振動手段（２２）を有する、請求項５に記載の装置。
【請求項７】
前記第１カップリング手段（１０）は、前記振動手段（２２）によって作り出された振動を、前記第２カップリング手段（１２）に、従って、前記細長い本体（２）に伝達するようになっている、請求項６に記載の装置。
【請求項８】
前記振動手段（２２）を制御するボタン（８）は前記ヘッド要素（４）の外面に設けられている、請求項６または７に記載の装置。
【請求項９】
前記ヘッド要素（４）は照明手段（６）を備える、少なくとも請求項５ないし８のいずれか１項に記載の装置。
【請求項１０】
前記照明手段（６）は、前記第１カップリング手段（１０）が設けられた前記ヘッド要素（４）の一部分に配置されている、請求項９に記載の装置。
【請求項１１】
前記照明手段（６）は前記ヘッド要素（４）を包囲する、請求項９または１０に記載の装置。
【請求項１２】
前記照明手段（６）は、包囲する照明リングを形成するように、前記一部分（４ａ）及び／または前記第１カップリング手段（１０）を包囲する、請求項１０または１１に記載の装置。
【請求項１３】
前記ヘッド要素（４）はバッテリ（２４）を有し、
前記第１カップリング手段（１０）は前記バッテリ（２４）を充電する電気ケーブル（２０）の接続のための電気コネクタ（１４）を有する、少なくとも請求項６ないし１２のいずれか１項に記載の装置。
【請求項１４】
前記照明手段（６）は前記バッテリ（２４）の充電状態を表示するために設けられている、少なくとも請求項９ないし１３のいずれか１項に記載の装置。
【請求項１５】
前記細長い本体（２）の外面は、少なくとも部分的にシリコンでできている、少なくとも先行する請求項のいずれか１項に記載の装置。
【発明の詳細な説明】
【技術分野】
【０００１】
本発明は、陰茎締め付け装置に関する。
【背景技術】
【０００２】
付け根にしっかりと隣接しユーザーの体に隣接して、陰茎を取り囲むようになっている一般的に弾性リングで構成される陰茎締め付け装置は、先行技術から公知である。陰茎締め付け装置は、器官から体に戻る血流が制限されるが比較的容易に器官への血流が得られる選択的なやり方で、器官の内部で血流を妨げることによって作用する。多くの場合、これにより器官の勃起が生じ、一旦勃起が得られると、勃起をより長く維持できるようにすることに効果的である。陰茎締め付け装置は、必要である限り、勃起を保持することに効果的である。
【０００３】
しかしながら、陰茎締め付け装置には、従来、不利な面があった。具体的には、特に、器官が既に勃起しているか、またはある程度勃起しているならば、器官に陰茎締め付け装置を取り付け、器官から陰茎締め付け装置を取り外す問題がある。
【０００４】
本発明の目的は、器官により容易、かつ、より便利に取り付けるために陰茎締め付け装置を改良することである。
【０００５】
上記目的、および別の目的を達成するため、本発明により、弾力性を有し、かつ第１及び第２の端部（２ａ，２ｂ）を有する細長い本体（２）を備え、前記細長い本体（２）は、動作モードにおいてリング形状を示すようになっており、前記動作モードにおいて、両方の端部（２ａ，２ｂ）が相互に重なり合う位置に付勢される形状及び弾力性を備える陰茎締め付け装置が提供される。
【０００６】
従って、本発明にかかる装置は、閉じたリングによって形成されていないが、第１及び第２の端部を有する細長い本体を備える。しかしながら、前記第１及び第２の端部は、互いに恒久的に連結されていない。もっと正確に言えば、本発明によれば、細長い本体は、動作モードにおいてリング形状を示す形状及び弾力性を備えるが、その両端部は相互に重なり合う位置にのみ付勢される。そのため、付勢効果によって、細長い本体は、細長い本体自身を器官の周りに巻き付ける。そのようにして、本発明にかかる装置は、動作モードにおいて、器官に十分な力を加え、閉じた締め付けリングの機能を示すために、器官の周りに装置自身を巻き付ける。しかし、細長い本体の細長く延びた、または細長く広がった両端部をつかみ取ることによって、器官から装置を解放するために細長い本体を開くことを常に選択できる。これは、互いに連結することなく、相互に重なり合う位置に両端部を付勢することによって達成される。前記位置では、器官が十分な圧力を受ける一方で、ユーザーが前記付勢力よりも大きな反対の力を加えることができ、従って、細長い本体を開くことができるように、弾力性に起因する付勢力が寸法化されている。結局のところ、本発明により、必要な時にはいつでも、器官から装置を解放するように選択でき、より容易に、かつ、より便利に装置を取り扱うことができる。
【０００７】
本発明のさらなる有利な実施形態および改良は、従属請求項に規定されている。
【０００８】
望ましい実施形態によれば、細長い本体は、動作モードにおいて、ねじれる、または少なくともコイルないし螺旋の一部を形成するように付勢される形状及び弾力性を備える。
【０００９】
別の望ましい実施形態によれば、細長い本体は、両端部を相互に重なり合う位置に付勢するようになっている細長い弾性バネ部材を有し、具体的には、バネ部材は、本体を、少なくとも部分的にねじれた、あるいは、螺旋状ないしコイル状の形に付勢するようになっていてもよい。前記細長い弾性バネ部材を設けることは、細長い本体を器官の周囲に巻き付け、圧力下で、個々にぴったりと適合する形状を実現するのに有利である。
【００１０】
さらなる別の望ましい実施形態は、ヘッド要素、該ヘッド要素に設けられた第１カップリング手段、及び前記細長い本体の第１端部に設けられた第２カップリング手段を備え、前記第１及び第２のカップリング手段は、前記ヘッド要素を前記細長い本体の第１端部に取り外し可能に装着するようになっている。所定の形状及び／または機能を有するヘッド要素を追加的に設けることによって、細長い本体の、従って装置全体の形状及び／または機能を変えてもよいし、あるいは広げて伸ばしてもよいし、増加してもよい。カップリング手段は、ヘッド要素を細長い本体の第１端部に取り外し可能に装着するようになっているので、この実施形態は、所望の形状及び／または機能を有するヘッド要素が現在の使用のために選択される異なる形状及び／または機能を有する複数の異なるヘッド要素を設け、従って、所望の利用に従ってヘッド要素を交換することによって装置の形状及び／または機能を変更するためのオプションを提供する。
【００１１】
前述した実施形態の有利な改良によれば、ヘッド要素は、ヘッド要素の外面に振動を伝達するようになっている振動手段を有する。そのため、ヘッド要素は、細長い本体の大きさに影響を及ぼすことなく振動手段を収容するために使用してもよい。第１カップリング手段は、振動効果を強めるために、振動手段によって作り出された振動を、第２カップリング手段に、従って、細長い本体に伝達するようになっていてもよい。さらに、振動手段を制御するボタンはヘッド要素の外面に設けてもよい。
【００１２】
前述した実施形態のさらなる別の改良によれば、ヘッド要素は、第１カップリング手段が設けられたヘッド要素の一部分に配置することができる照明手段（６）を備える。照明手段は、包囲する照明リングを形成するように、ヘッド要素、具体的には、第１カップリング手段が設けられたヘッド要素の一部分、及び／または第１カップリング手段を包囲してもよい。
【００１３】
前述した改良によれば、ヘッド要素は、振動及び／または光を作り出すために設けてもよい。しかしながら、ヘッド要素は、振動機能及び／または照明機能に制限されず、他のいかなる異なる有用な機能も受け入れる。
【００１４】
さらに、ヘッド要素はバッテリを有し、第１カップリング手段はバッテリを充電する電気ケーブルの接続のための電気コネクタを有していてもよい。そのようにして、ヘッド要素は、細長い本体の大きさに影響を及ぼすことなく、バッテリの収容のために有利に使用することができる。
【００１５】
ヘッド要素が照明手段を備え、バッテリを有するならば、照明手段は、バッテリの充電状態を表示するために使用してもよい。
【００１６】
さらなる別の望ましい実施形態によれば、細長い本体の外面は、具体的には、少なくとも部分的にサテン仕上げの柔軟なシリコンでできている。
【００１７】
以下、本発明にかかる望ましい実施形態が添付図面を参照して説明される。
【図面の簡単な説明】
【００１８】
【図１】ヘッド要素の内部に収容された振動手段及びバッテリが追加的に点線で示された、完全に組み立てられた状態の本発明の望ましい実施形態にかかる陰茎締め付けリングの側面斜視図。
【図２】細長い本体から分離されたヘッド要素を有する図１の陰茎締め付けリングの別の斜視図。
【図３】ヘッド要素及びヘッド要素から外されたケーブルの斜視図。
【発明を実施するための形態】
【００１９】
図１は、完全に組み立てられた状態であり、かつ動作モードの、本発明の望ましい実施形態にかかる陰茎締め付けリングを示す。陰茎締め付けリングは、第１端部２ａ、及び第２端部２ｂを有する細長い本体２を備える。図示された実施形態では、細長い本体２は、ストリップのような要素を形成する。さらに、細長い本体２は、動作モードにおいて、図１に示すように、ねじれる、または少なくともコイルないし螺旋の一部を形成するように、細長い本体２の端部２ａ，２ｂが相互に重なり合う位置に付勢される形状及び弾力性を備える。望ましくは、細長い本体２の材料は、ポリエチレン及び／またはポリプロピレンであってもよく、かつ／または、細長い本体２は、サテン仕上げの柔軟なシリコンでできた層または膜によって覆われている。
【００２０】
望ましくは、図１に従う動作モードにおいて、少なくとも部分的にねじれた、あるいは、螺旋状ないしコイル状の形に細長い本体２を付勢するように、細長い本体２は、必要な付勢力を作り出す（図示していない）細長い弾性バネ部材を有する。動作モードに付勢することによって、細長い本体２は、器官の周りに細長い本体自身を巻き付け、図１に示す螺旋形状は、ぴったりと個々に適合する形状を提供する。陰茎締め付けリングを器官から解放するために、細長い本体２を、内在する付勢力に抗して「巻かれていない」ようにするために、細長い本体２の両端部２ａ，２ｂは掴んで引き伸ばされる。しかしながら、細長い本体２の端部２ａ，２ｂを緩ませると、細長い本体２は、付勢力によって、引き伸ばされた形状から図１に従う動作モードの螺旋形状に戻る。
【００２１】
さらに図に示すように、記載された実施形態にかかる陰茎締め付けリングは、端部４ａを有するヘッド要素４を備える。端部４ａを有するヘッド要素４は、図１に示す細長い本体の第１端部２ａに装着される。示した実施形態では、ヘッド要素４は、形状において、細長い本体２と一体化されているようにみえるように、その形状が細長い本体２の形状に適合された細長いピースの輪郭を示す。
【００２２】
細長い本体２が柔軟な材料すなわち弾性材料でできている一方、記載した実施形態では、ヘッド要素４は、望ましくはサテン仕上げで金属調の外観を有する硬質プラスチック材料でできている。さらに図から分かるように、ヘッド要素４は、滑らかな外観を得るために、縁が丸くなっており、僅かに凸状になった面を備える。
【００２３】
さらに図１に示すように、ヘッド要素４は、縁に沿ってヘッド要素の端部４ａを包囲する照明リング６を備える。
【００２４】
後でより詳細に説明する振動手段のスイッチを入れる、あるいはスイッチを切るために、オン／オフボタン８がヘッド要素４の表面に設けられている。追加的に、または代替として、オン／オフボタン８は、照明リング６のスイッチを入れる、あるいはスイッチを切るために設けてもよい。
【００２５】
図２は、細長い本体２から取り外されたヘッド要素４を示す。従って、記載した実施形態では、ヘッド要素４の細長い本体２への装着は、解除可能である。図２及び図３に示すように、オスコネクタ１０は、ヘッド要素４の端部４ａを限定する端面４ｄに配置されている。さらに図２に示すように、細長い本体２の第１端部２ａは、メスコネクタとして設けられた穴１２を有する端面２ｃを備える。ヘッド要素４のオスコネクタ１０、及び細長い本体２の端面２ｃの穴１２は、ヘッド要素４のオスコネクタ１０が細長い本体２の穴１２にぴったりと合うような形状かつ寸法に形成されている。オスコネクタ１０、及び穴１２は、ヘッド要素４と細長い本体２との間で、解除可能ではあるが、しっかりとした結合を提供するようになっている相補的な係合部分を備える。具体的には、前記係合部分は、解除可能な拘束手段を備えていてもよい。さらに、オスコネクタ１０、及び穴１２は、ヘッド要素４の振動手段によって作り出された振動を細長い本体２に伝達するようになっている。
【００２６】
図３に示すように、電気ソケット１４は、オスコネクタ１０に設けられている。ソケット１４は、以下でより詳細に説明するバッテリを、バッテリを充電するための（図示していない）外部充電装置に接続するために、ケーブル２０と一体となった電気プラグ１８のラグジャック（lug jack）１６を収容するようになっている。図３は、ヘッド要素４のソケット１４から外されたケーブル２０を有する電気プラグ１８を示す。
【００２７】
さらに図１の点線で示すように、符号“２２”で示された振動手段、及び符号“２４”で示された充電可能なバッテリはヘッド要素４の内部に配置されている。望ましくは、電気モータと、振動を作り出すためにモータによって回転可能に駆動されるエキセンタ(excenter)とを備える振動手段２２は、振動をヘッド要素４の表面や細長い本体２に伝達するようになっている。バッテリ２４は、照明リング６、及び振動手段２２に電力を供給するために設けられている。上で既に述べたように、振動手段２２は、振動手段２２をバッテリ２４に接続するようになっているオン／オフボタン８によって、スイッチが入れられるか、またはスイッチが切られる。電気プラグ１８と電気ソケット１４との接続によって、バッテリ２４が充電されるとき、望ましくは、照明リング６は、例えば閃光を発光することによって、バッテリの充電状態を表示するために用いてもよい。
【符号の説明】
【００２８】
２  細長い本体
２ａ  第１端部
２ｂ  第２端部
２ｃ  端面
４  ヘッド要素
４ａ  端部
４ｄ  端面
６  照明リング
８  オン／オフボタン
１０  オスコネクタ
１２  穴
１４  電気ソケット
１６  ラグジャック（lug jack）
１８  電気プラグ
２０  ケーブル
２２  振動手段
２４  バッテリ
【図１】
2014527888.tif 000003
【図２】
2014527888.tif 000004
【図３】
2014527888.tif 000005
【国際調査報告】
2014527888.tif 000006
2014527888.tif 000007